(57)【要約】【課題】  複数のＩＳＤＮ（Integrated Services Digital Network ）のフレームを送信／受信する送信装置および受信装置に関するものである。【解決手段】  本発明による送信装置は、第１の音声データ処理部２、第１の主制御部３、第１の通信ＬＳＩ４、第２の通信ＬＳＩ５とを備え、第１の主制御部３、第１の通信ＬＳＩ４は、第１の伝送路８を介して送信される第１のフレームを生成し、第１の主制御部３、第２の通信ＬＳＩ５は、第２の伝送路９を介して送信される第２のフレームを生成する。また受信装置は、第３の通信ＬＳＩ１２、第４の通信ＬＳＩ１３、第２の主制御部１４、第２の音声データ処理部１５とを備え、第３の通信ＬＳＩ１２、第２の主制御部１４は、第１の伝送路８を介して受信した第１のフレームから第１の情報チャネル、第２の情報チャネルを生成し、第４の通信ＬＳＩ１３、第２の主制御部１４は、第２の伝送路９を介して受信した第２のフレームから第３の情報チャネル、第４の情報チャネルを生成する。【選択図】  図１
2006020070.tif 000002
【特許請求の範囲】
【請求項１】
複数の情報チャネルから第１のフレームと第２のフレームとを生成するフレーム生成手段と、
前記第１のフレームを送信する第１の送信手段と、
前記第２のフレームを送信する第２の送信手段を有し、
前記フレーム生成手段は、
前記複数の情報チャネルから第１の情報チャネルと第２の情報チャネルを選択するとともに、第１の情報チャネルの制御に関する第１の制御チャネルと第２の情報チャネルの制御に関する第２の制御チャネルを生成し、
前記第１の情報チャネルと前記第１の制御チャネルと前記第２の制御チャネルから前記第１のフレームを生成し、
前記第２の情報チャネルから前記第２のフレームを生成すること
を特徴とする送信装置。
【請求項２】
請求項１に記載される送信装置において、
前記第２の制御チャネルは、前記第１の制御チャネルにおける所定の位置に挿入されること
を特徴とする送信装置。
【請求項３】
請求項１に記載される送信装置において、
前記第２のフレームは、前記第１のフレームが送信されるタイミングと同じタイミングにて送信されること
を特徴とする送信装置。
【請求項４】
請求項１に記載される送信装置において、さらに、
入力される音声信号を情報チャネルに変換して、前記フレーム生成手段に出力する音声データ処理手段を有すること
を特徴とする送信装置。
【請求項５】
請求項４に記載される送信装置において、
前記音声データ処理手段は、さらに、
受信装置にて受信された第３の情報チャネルをミキシングするミキシング機能を有すること
を特徴とする送信装置。
【請求項６】
請求項５に記載される送信装置において、さらに、
ミキシングされる前記第３の情報チャネルを選択する選択機能を有すること
を特徴とする送信装置。
【請求項７】
請求項１に記載される送信装置において、
前記第１のフレームおよび前記第２のフレームは、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）のフレームフォーマットから構成され、
前記第１の情報チャネルおよび前記第２の情報チャネルは、前記ＩＳＤＮのフレームフォーマットの２Ｂチャネルに格納され、
前記第１の制御チャネルおよび前記第２の制御チャネルは、前記ＩＳＤＮのフレームフォーマットのＤチャネルに格納されること
を特徴とする送信装置。
【請求項８】
請求項７に記載される送信装置において、
前記第１のフレームおよび前記第２のフレームは、ＣＣＩＴＴ勧告Ｉ．４３０のフレームフォーマットから構成されること
を特徴とする送信装置。
【請求項９】
第１のフレームを受信する第１の受信手段と、
第２のフレームを受信する第２の受信手段と、
前記第１のフレームと前記第２のフレームから、第１の情報チャネルと第２の情報チャネルからなる複数の情報チャネルを生成するチャネル生成手段とを有し、
前記チャネル生成手段は、さらに、
前記第１のフレームから前記第１の情報チャネルと、前記第１の情報チャネルの制御に関する第１の制御チャネルと、前記第２の情報チャネルの制御に関する第２の制御チャネルを抽出し、
第２のフレームから第２の情報チャネルを抽出すること
を特徴とする受信装置。
【請求項１０】
請求項９に記載される受信装置において、
前記第２の制御チャネルは、前記第１の制御チャネルにおける所定の位置から抽出すること
を特徴とする受信装置。
【請求項１１】
請求項９に記載される受信装置において、
前記第２のフレームは、前記第１のフレームが送信されるタイミングと同じタイミングにて送信されたフレームであること
を特徴とする送信装置。
【請求項１２】
請求項９に記載される受信装置において、さらに、
前記チャネル生成手段から出力される前記第１の情報チャネルを、音声信号に変換する音声データ処理手段を有すること
を特徴とする受信装置。
【請求項１３】
請求項１２に記載される受信装置において、
前記音声データ処理手段は、さらに、
前記第２の情報チャネルをミキシングするミキシング機能を有すること
を特徴とする受信装置。
【請求項１４】
請求項１３に記載される受信装置において、さらに、
ミキシングされる前記第２の情報チャネルを選択する選択機能を有すること
を特徴とする受信装置。
【請求項１５】
請求項９に記載される受信装置において、
前記第１のフレームおよび前記第２のフレームは、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）のフレームフォーマットから構成され、
前記第１の情報チャネルおよび前記第２の情報チャネルは、前記ＩＳＤＮのフレームフォーマットの２Ｂチャネルに格納され、
前記第１の制御チャネルおよび前記第２の制御チャネルは、前記ＩＳＤＮのフレームフォーマットのＤチャネルに格納されること
を特徴とする受信装置。
【請求項１６】
請求項９に記載される受信装置において、
前記第１のフレームおよび前記第２のフレームは、ＣＣＩＴＴ勧告Ｉ．４３０のフレームフォーマットから構成されること
を特徴とする受信装置。
【請求項１７】
複数の情報チャネルから第１のフレームと第２のフレームとを生成するフレーム生成ステップと、
前記第１のフレームを送信する第１の送信ステップと、
前記第２のフレームを送信する第２の送信ステップを有し、
前記フレーム生成ステップは、
前記複数の情報チャネルから第１の情報チャネルと第２の情報チャネルを選択するとともに、第１の情報チャネルの制御に関する第１の制御チャネルと第２の情報チャネルの制御に関する第２の制御チャネルを生成し、
前記第１の情報チャネルと前記第１の制御チャネルと前記第２の制御チャネルから前記第１のフレームを生成し、
前記第２の情報チャネルから前記第２のフレームを生成すること
を特徴とする送信方法。
【請求項１８】
第１のフレームを受信する第１の受信ステップと、
第２のフレームを受信する第２の受信ステップと、
前記第１のフレームと前記第２のフレームから、第１の情報チャネルと第２の情報チャネルからなる複数の情報チャネルを生成するチャネル生成ステップとを有し、
前記チャネル生成ステップは、さらに、
前記第１のフレームから前記第１の情報チャネルと、前記第１の情報チャネルの制御に関する第１の制御チャネルと、前記第２の情報チャネルの制御に関する第２の制御チャネルを抽出し、
第２のフレームから第２の情報チャネルを抽出すること
を特徴とする受信方法。
【発明の詳細な説明】
【技術分野】
【０００１】
本発明は、電話交換機と内線電話端末間の通信において、複数のＩＳＤＮ（Ｉｎｔｅｇｒａｔｅｄ  Ｓｅｒｖｉｃｅｓ  Ｄｉｇｉｔａｌ  Ｎｅｔｗｏｒｋ）のフレームを送信／受信する送信装置、受信装置および送信方法、受信方法に関するものである。
【背景技術】
【０００２】
従来、電話交換機と電話機端末が接続されるシステムは、例えば、特開平０９−３２１８７２号公報に記載される。特開平０９−３２１８７２号公報では、内線電話に関する構成が記載されており、交換機の機能により電話機端末が内線電話として利用されていることが示されている。
【特許文献１】特開平０９−３２１８７２号公報
【発明の開示】
【発明が解決しようとする課題】
【０００３】
しかし、上記の内線電話において電話機端末が複数の通話者と通信する場合は、交換機内部に３者通話の機能を組み込み、この３者通話機能を設定するなどにより実現できる。しかしながら、単に３者通話などのシステムを利用するだけでは、複数の通話者に対して的確に指示を伝達するともに、特定の通話者に対して的確に指示を伝達することは難しい。同様に、複数の通話者から的確に情報を収集するとともに、特定の通話者から的確に情報を収集することは難しい。
【課題を解決するための手段】
【０００４】
かかる課題を解決するため、本発明による送信装置は、複数の情報チャネルから第１のフレームと第２のフレームとを生成するフレーム生成手段と、第１のフレームを送信する第１の送信手段と、第２のフレームを送信する第２の送信手段を有し、フレーム生成手段は、複数の情報チャネルから第１の情報チャネルと第２の情報チャネルを選択するとともに、第１の情報チャネルの制御に関する第１の制御チャネルと第２の情報チャネルの制御に関する第２の制御チャネルを生成し、第１の情報チャネルと第１の制御チャネルと第２の制御チャネルから第１のフレームを生成し、第２の情報チャネルから、第２のフレームを生成することを特徴とする。また、本発明による受信装置は、第１のフレームを受信する第１の受信手段と、第２のフレームを受信する第２の受信手段と、第１のフレームと第２のフレームから、第１の情報チャネルと第２の情報チャネルからなる複数の情報チャネルを生成するチャネル生成手段とを有し、チャネル生成手段は、さらに、第１のフレームから第１の情報チャネルと、第１の情報チャネルの制御に関する第１の制御チャネルと、第２の情報チャネルの制御に関する第２の制御チャネルを抽出し、第２のフレームから第２の情報チャネルを抽出することを特徴とする。
【０００５】
かかる課題を解決するため、本発明による送信方法は、複数の情報チャネルから第１のフレームと第２のフレームとを生成するフレーム生成ステップと、第１のフレームを送信する第１の送信ステップと、第２のフレームを送信する第２の送信ステップを有し、フレーム生成ステップは、複数の情報チャネルから第１の情報チャネルと第２の情報チャネルを選択するとともに、第１の情報チャネルの制御に関する第１の制御チャネルと第２の情報チャネルの制御に関する第２の制御チャネルを生成し、第１の情報チャネルと第１の制御チャネルと第２の制御チャネルから第１のフレームを生成し、第２の情報チャネルから、第２のフレームを生成することを特徴とする。また、本発明による受信方法は、第１のフレームを受信する第１の受信ステップと、第２のフレームを受信する第２の受信ステップと、第１のフレームと第２のフレームから、第１の情報チャネルと第２の情報チャネルからなる複数の情報チャネルを生成するチャネル生成ステップとを有し、チャネル生成ステップは、さらに、第１のフレームから第１の情報チャネルと、第１の情報チャネルの制御に関する第１の制御チャネルと、第２の情報チャネルの制御に関する第２の制御チャネルを抽出し、第２のフレームから第２の情報チャネルを抽出することを特徴とする。
【発明の効果】
【０００６】
発明の効果として、本発明の送信装置／受信装置（送信方法／受信方法）によれば、複数の情報チャネル（例えば、ＩＳＤＮにおける２Ｂチャネル）を同一の送信装置／受信装置に収容する際、複数の情報チャネルを制御するフレームの制御データを１つの第１の制御チャネル（例えば、ＩＳＤＮにおけるＤチャネル）に格納して伝送することが可能となる。電話交換機と内線電話端末間において、伝送される信号は、１つの第１の制御チャネル（例えば、ＩＳＤＮにおけるＤチャネル）にて制御されるので、電話交換機の上位ソフトウェアによる内線電話端末の監視の簡略化を実現することができる。
【０００７】
さらに、本発明の送信装置／受信装置（送信方法／受信方法）によれば、複数の情報チャネル（例えば、ＩＳＤＮにおける２Ｂチャネル）を同一の送信装置／受信装置に収容する際、複数の情報チャネルを制御するフレームの制御データを１つの第１の制御チャネル（例えば、ＩＳＤＮにおけるＤチャネル）に格納して伝送することが可能となるので、複数の情報チャネルを内線電話端末に引き込むことが可能となるため、複数の通話者に対して的確に指示を伝達するともに、特定の通話者に対して的確に指示を伝達することを可能とし、複数の通話者から的確に情報を収集するとともに、特定の通話者から的確に情報を収集することを可能とする。例えば、指令台、指揮台などのような用途にも適用することが可能となる。
【発明を実施するための最良の形態】
【０００８】
（Ａ）実施形態
以下、本発明の一実施例を図面を参照しながら詳述する。図１は、ＩＳＤＮにおける複数の情報チャネル（Ｂチャネル）と、この複数の情報チャネルを制御する第１の制御チャネル（Ｄチャネル）とを伝送する送信装置／受信装置を有する電話交換機、内線電話端末間のシステムの概略全体構成を示すものである。ここで、電話交換機−内線電話端末間は、第１の伝送路と第２の伝送路で接続され、これら第１の伝送路、第２の伝送路は、それぞれＩＳＤＮにおける２つの６４Ｋｂｐｓ情報チャネルと１つの１６ｋｂｐｓ情報チャネル（２Ｂ＋Ｄチャネル）を伝送することが可能であるものとする。
【０００９】
（Ａ−１）実施形態の構成１：電話交換機の送信装置の構成
図１において、このシステムの電話交換機［１］は、第１の音声データ処理部［２］、第１の主制御部［３］、第１の通信ＬＳＩ［４］、第２の通信ＬＳＩ［５］からなる。ここで、第１の主制御部［３］、第１の通信ＬＳＩ［４］は、第１の伝送路［８］を介して送信される第１のフレームを生成する。第１の主制御部［３］、第２の通信ＬＳＩ［５］は、第２の伝送路［９］を介して送信される第２のフレームを生成する。これら第１の音声データ処理部［２］、第１の主制御部［３］、第１の通信ＬＳＩ［４］、第２の通信ＬＳＩ［５］において、電話交換機［１］から内線電話端末［６］への送信機能は、次のような構成を有する。
【００１０】
第１の音声データ処理部［２］は、交換網［７］から入力される信号から第１の音声データフレームを生成する。生成される第１の音声データフレームは、第１の伝送路［８］および第２の伝送路［９］を介して同じタイミングで送信される音声データフレームを生成する。ここで、交換網［７］は、第１の通話者、第２の通話者、第３の通話者、第４の通話者に接続されている。交換網［７］から入力される信号は、第１の通話者、第２の通話者、第３の通話者、第４の通話者により生成された信号である。
【００１１】
第１の主制御部［３］は、第１の音声データ処理部［２］から第１の音声データフレームから２つの情報チャネルを抽出し、第１の伝送路［８］を介して送信される第１の情報チャネル（２Ｂチャネル）を生成する。第１の主制御部［３］は、生成された第１の情報チャネル（２Ｂチャネル）に関する制御データを生成し、この制御データを第１の制御チャネルとして生成する。第１の主制御部［３］は、音声データ処理部［２］から第１の音声データフレームから２つの情報チャネルを抽出し、第２の伝送路［９］を介して送信される第２の情報チャネル（２Ｂチャネル）を生成する。第１の主制御部［３］は、生成された第２の情報チャネル（２Ｂチャネル）に関する制御データを生成し、この制御データを第２の制御チャネルとして生成する。
【００１２】
また、第１の主制御部［３］は、この第２の制御チャネルを、この第２の制御チャネルと同じタイミングで生成された第１の制御チャネルに挿入して、第３の制御チャネル（Ｄチャネル）を生成する。この挿入方法の一例は、第１の制御チャネルの空きのところに、第２の制御チャネルを挿入するとともに、挿入した制御チャネルが第２の制御チャネルに関するものであることを示すフラグを挿入する。または、第１の制御チャネルの所定の空きのところに、第２の制御チャネルを挿入してもよい。
【００１３】
第１の通信ＬＳＩ［４］は、第１の伝送路［８］を介して送信される第１のフレームを生成し、第１の主制御部［３］の制御信号に基づいて、生成されたこの第１のフレームを内線電話端末［６］に送信する。第１のフレームは、フレーム同期、ピンポン監視ビットに関するＦ／Ｐビット、保守・監視・制御用のデータに関するハウス・キーピング・ビットからなるフレームの制御データと、先に説明された第３の制御チャネル（Ｄチャネル）、第１の情報チャネル（２Ｂチャネル）と、フレームの直流成分を平衡に保つ直流キャンセルビットからなるフレームの制御データから生成される。これらの処理は、主に第１の通信ＬＳＩ［４］の第１の送信部［１０］にて行われる。
【００１４】
第２の通信ＬＳＩ［５］は、第２の伝送路［９］を介して送信される第２のフレームを生成し、第１の主制御部［３］の制御信号に基づいて、生成されたこのフレームを内線電話端末［６］に送信する。第２のフレームは、フレーム同期、ピンポン監視ビットに関するＦ／Ｐビット、保守・監視・制御用のデータに関するハウス・キーピング・ビットからなるフレームの制御データと、空のデータ（空のデータを示すフラグを挿入することも含む）、またはその他のデータとその他のデータを示すフラグを挿入したものからなるチャネル、先に説明された第２の情報チャネル（２Ｂチャネル）と、フレームの直流成分を平衡に保つ直流キャンセルビットからなるフレームの制御データから生成される。これらの処理は、主に第２の通信ＬＳＩ［５］の第２の送信部［１１］にて行われる。
【００１５】
上記のように、電話交換機の送信装置は、第１の伝送路［８］に送信される第１のフレームの第１の情報チャネル（２Ｂチャネル）により、交換網［７］に接続される第１の通話者、第２の通話者から送信された信号を送信する。電話交換機の送信装置は、第２の伝送路［９］に送信される第２のフレームの第１の情報チャネル（２Ｂチャネル）により、交換網［７］に接続される第３の通話者、第４の通話者から送信された信号を送信する。
【００１６】
（Ａ−２）実施形態の構成２：内線電話端末の受信装置の構成
次に、このシステムの内線電話端末［６］は、第３の通信ＬＳＩ［１２］、第４の通信ＬＳＩ［１３］、第２の主制御部［１４］、第２の音声データ処理部［１５］、音声送受話器［１６］からなる。ここで、第３の通信ＬＳＩ［１２］、第２の主制御部［１４］は、第１の伝送路［８］を介して受信した第１のフレームから第１の情報チャネルの各情報チャネルを生成する。第４の通信ＬＳＩ［１３］、第２の主制御部［１４］は、第２の伝送路［９］を介して受信した第２のフレームから第２の情報チャネルの各情報チャネルを生成する。これら第３の通信ＬＳＩ［１２］、第４の通信ＬＳＩ［１３］、第２の主制御部［１４］、第２の音声データ処理部［１５］において、電話交換機［１］から送信された信号を受信する内線電話端末［６］の受信機能は、次のような構成を有する。
【００１７】
第３の通信ＬＳＩ［１２］は、電話交換機［１］の第１の通信ＬＳＩ［４］から出力され、第１の伝送路［８］を介して伝送された第１のフレームを受信する。第３の通信ＬＳＩ［１２］は、受信した第１のフレームから、フレーム同期に関するフレームの制御データにおけるＦ／Ｐビットに基づいて、第３の制御チャネル（Ｄチャネル）と第１の情報チャネル（２Ｂチャネル）を抽出する。これらの処理は、主に第３の通信ＬＳＩ［１２］の第１の受信部［１７］にて行われる。
【００１８】
第４の通信ＬＳＩ［１３］は、電話交換機［１］の第１の通信ＬＳＩ［４］から同じタイミングにて出力され、電話交換機［１］の第２の通信ＬＳＩ［５］から出力され第２の伝送路［９］を介して伝送された第２のフレームを受信する。第４の通信ＬＳＩ［１３］は、受信した第２のフレームから、フレーム同期に関するフレームの制御データにおけるＦ／Ｐビットに基づいて、第２の情報チャネル（２Ｂチャネル）を抽出する。第２の情報チャネル（２Ｂチャネル）は、第３の通信ＬＳＩ［１２］により抽出された第１の情報チャネル（２Ｂチャネル）と同じタイミングにて抽出される。これらの処理は、主に第４の通信ＬＳＩ［１３］の第２の受信部［１８］にて行われる。
【００１９】
第２の主制御部［１４］は、第３の通信ＬＳＩ［１２］から抽出された第３の制御チャネル（Ｄチャネル）から、第１の情報チャネル（２Ｂチャネル）に関わる第１の制御チャネルと、第２の情報チャネル（２Ｂチャネル）に関わる第２の制御チャネルに分ける。
この分け方の一例は、上記で説明された挿入した第２の制御チャネルが第２の情報チャネル（２Ｂチャネル）に関するものであることを示すフラグを利用して、第１の情報チャネル（２Ｂチャネル）に関わる第１の制御チャネルと、第２の情報チャネル（２Ｂチャネル）に関わる第２の制御チャネルに分ける。または、上記で説明された挿入した第２の制御チャネルが第１の制御チャネルの所定の空きのところに存在することを利用して、第１の制御チャネルと第２の制御チャネルに分ける。
【００２０】
第２の主制御部［１４］は、所定のタイミングにて、第３の通信ＬＳＩ［１２］から抽出された第１の情報チャネル（２Ｂチャネル）を第２の音声データ処理部［１５］に出力する。第２の主制御部［１４］は、第３の通信ＬＳＩ［１２］が第１の情報チャネル（２Ｂチャネル）を第２の音声データ処理部［１５］に出力するタイミングにて、第４の通信ＬＳＩ［１３］から抽出された第２の情報チャネル（２Ｂチャネル）を第２の音声データ処理部［１５］に出力する。
【００２１】
第２の音声データ処理部［１５］は、第３の通信ＬＳＩ［１２］から入力される第１の情報チャネル（２Ｂチャネル）と、第４の通信ＬＳＩ［１３］から入力される第２の情報チャネル（２Ｂチャネル）を第１の音声信号に変換して音声送受話器［１６］に出力する。このとき、第２の音声データ処理部［１５］は、第１の情報チャネル（２Ｂチャネル）を第２の音声信号と第３の音声信号に変換し、第２の情報チャネル（２Ｂチャネル）を第４の音声信号と第５の音声信号に変換する。第２の音声データ処理部［１５］は、これら変換された第２の音声信号、第３の音声信号、第４の音声信号、第５の音声信号を合成して第１の音声信号として音声送受話器［１６］に出力してもよい。
【００２２】
さらに、第２の音声データ処理部［１５］は、上記の第２の音声信号、第３の音声信号、第４の音声信号、第５の音声信号を合成して第１の音声信号として出力する代わりに、３者通話機能に用いられるミキシング機能を用いて第２の音声信号、第３の音声信号、第４の音声信号、第５の音声信号をミキシングして第１の音声信号として出力してもよい。また、第２の音声データ処理部［１５］は、第２の音声信号〜第５の音声信号のいずれかの音声信号を選択して第１の音声信号とすることにより、特定の通話したい相手を選択してもよい。第２の音声データ処理部［１５］は、第２の音声信号〜第５の音声信号のいずれかの音声信号を選択し選択した音声信号をミキシングして第１の音声信号とすることにより、複数の特定の通話したい相手を選んでもよい。
【００２３】
なお、第２の音声データ処理部［１５］は、第２の情報チャネル（２Ｂチャネル）の第４の音声信号が第２の制御チャネルより空のデータからなると判断した場合、上記の第４の音声信号に関する処理は省略しても良い。第２の音声データ処理部［１５］は、第２の情報チャネル（２Ｂチャネル）の第４の音声信号が第２の制御チャネルより他のデータからなると判断した場合、上記の第４の音声信号に関する処理は省略する。
【００２４】
上記のように、内線電話端末の受信装置は、第１の伝送路［８］を介して受信した第１のフレームの第１の情報チャネル（２Ｂチャネル）により、交換網［７］に接続される第１の通話者、第２の通話者から送信された信号を受信する。電話交換機の送信装置は、第２の伝送路［９］を介して受信した第２のフレームの第１の情報チャネル（２Ｂチャネル）により、交換網［７］に接続される第３の通話者、第４の通話者から送信された信号を受信する。
【００２５】
（Ａ−３）実施形態の構成３：内線電話端末の送信装置の構成
次に、このシステムの内線電話端末［６］は、音声送受話器［１６］、第２の音声データ処理部［１５］、第２の主制御部［１４］、第３の通信ＬＳＩ［１２］、第４の通信ＬＳＩ［１３］からなる。ここで、第２の主制御部［１４］、第３の通信ＬＳＩ［１２］は、第１の伝送路［８］を介して送信される第３のフレームを生成する。第２の主制御部［１４］、第４の通信ＬＳＩ［１３］は、第２の伝送路［９］を介して送信される第４のフレームを生成する。これら第２の音声データ処理部［１５］、第２の主制御部［１４］、第３の通信ＬＳＩ［１２］、第４の通信ＬＳＩ［１３］において、内線電話端末［６］から電話交換機［１］への送信機能は、次のような構成を有する。
【００２６】
第２の音声データ処理部［１５］は、音声送受話器［１６］から入力される第６の音声信号を第２の音声データフレームに変換する。さらに、第６の音声信号を第２の音声データフレームに変換する前に、上記の「（Ａ−２）実施形態の構成２．内線電話端末の受信装置の構成」でミキシングされた第２の音声信号〜第５の音声信号をさらにミキシングしてもよい。また、上記の「（Ａ−２）実施形態の構成２．内線電話端末の受信装置の構成」で選択された第２の音声信号〜第５の音声信号のいずれかの音声信号を選択することにより、特定の通話したい相手を選択してもよい。上記の「（Ａ−２）実施形態の構成２．内線電話端末の受信装置の構成」で選択された第２の音声信号〜第５の音声信号のいずれかの音声信号を選択してミキシングすることにより、複数の特定の通話したい相手を選んでもよい。但し、これらのミキシング／選択／選択してミキシングされる音声信号は、ハウリング防ぐため、送信先に関わる音声信号を取り除く処理を施す（また、ミキシングについては、例えば３者通話機能に用いられるミキシング機能を用いる）。これらの変換処理は、後に説明する第３の情報チャネル（２Ｂチャネル）の各情報チャネル、第４の情報チャネル（２Ｂチャネル）の各情報チャネル毎にミキシングをしてもよい。各情報チャネル毎にミキシングした場合、第２の音声データ処理部は、各情報チャネル毎に第２の音声データフレームをそれぞれ生成する。
【００２７】
第２の主制御部［１４］は、第２の音声データ処理部［１５］から第２の音声データフレームを抽出し、第１の伝送路［８］にて送信される第３の情報チャネル（２Ｂチャネル）の各情報チャネルを生成する。第２の主制御部［１４］は、生成された第３の情報チャネル（２Ｂチャネル）に関する制御データからなる第４の制御チャネルを生成する。第２の主制御部［１４］は、第２の音声データ処理部［１５］から先に抽出された第２の音声データフレームから、第２の伝送路［９］にて送信される第４の情報チャネル（２Ｂチャネル）の各情報チャネルを生成する。第２の主制御部［１４］は、生成された第４の情報チャネル（２Ｂチャネル）に関する制御データからなる第５の制御チャネルを生成する。
【００２８】
このとき、各情報チャネルとも同じ第２の音声データフレームから生成するならば、主制御部は、１つの音声データフレームから、第３の情報チャネル（２Ｂチャネル）の各情報チャネル、第４の情報チャネル（２Ｂチャネル）の各情報チャネルを生成する。第２の音声データフレームが各情報チャネル毎に生成されているならば、第２の主制御部［１４］は、各情報チャネルに対応する第２の音声データフレームから、第３の情報チャネル（２Ｂチャネル）の各情報チャネル、第４の情報チャネル（２Ｂチャネル）の各情報チャネルを生成する。
【００２９】
また、第２の主制御部［１４］は、第５の制御チャネルを、この第５の制御チャネルと同じタイミングで生成された第４の制御チャネルに挿入し、第６の制御チャネル（Ｄチャネル）を生成する。この挿入方法の一例は、第４の制御チャネルの空きのところに、第５の制御チャネルを挿入するとともに、挿入した第５の制御チャネルに関するものであるフラグを挿入する。または、第４の制御チャネルの所定の空きのところに、第５の制御チャネルを挿入してもよい。
【００３０】
第３の通信ＬＳＩ［１２］は、第１の伝送路［８］に送信される第３のフレームを生成し、第２の主制御部［１４］の制御信号に基づいて、生成されたこのフレームを電話交換機［１］に送信する。第３のフレームは、フレーム同期、ピンポン監視ビットに関するＦ／Ｐビット、保守・監視・制御用のデータに関するハウス・キーピング・ビットからなるフレームの制御データと、先に説明された第６の制御チャネル（Ｄチャネル）、第３の情報チャネル（２Ｂチャネル）と、フレームの直流成分を平衡に保つ直流キャンセルビットからなるフレームの制御データから生成される。これらの処理は、主に第３の通信ＬＳＩ［１２］の第３の送信部［１９］にて行われる。
【００３１】
第４の通信ＬＳＩ［１３］は、第２の伝送路［９］に送信される第４のフレームを生成し、第２の主制御部［３］の制御信号に基づいて、生成されたこのフレームを電話交換機［１］に送信する。第４のフレームは、フレーム同期、ピンポン監視ビットに関するＦ／Ｐビット、保守・監視・制御用のデータに関するハウス・キーピング・ビットからなるフレームの制御データと、空のデータ（空のデータを示すフラグを挿入することも含む）、またはその他のデータとその他のデータを示すフラグを挿入したものからなるチャネルと、先に説明された第４の情報チャネル（２Ｂチャネル）と、フレームの直流成分を平衡に保つ直流キャンセルビットからなるフレームの制御データから生成される。これらの処理は、主に第４の通信ＬＳＩ［１４］の第４の送信部［２０］にて行われる。
【００３２】
上記のように、内線電話端末の送信装置は、第１の伝送路［８］を介して送信される第３のフレームの第１の情報チャネル（２Ｂチャネル）により、内線電話端末［６］から交換網［７］に接続される第１の通話者、第２の通話者へ送信される信号を送信する。内線電話端末の送信装置は、第２の伝送路［９］を介して送信される第４のフレームの第１の情報チャネル（２Ｂチャネル）により、内線電話端末［６］から交換網［７］に接続される第３の通話者、第４の通話者へ送信される信号を送信する。
【００３３】
（Ａ−４）実施形態の構成４：電話交換機の受信装置の構成
次に、このシステムの電話交換機［１］は、第１の通信ＬＳＩ［４］、第２の通信ＬＳＩ［５］、第１の主制御部［３］、第１の音声データ処理部［２］からなる。ここで、第１の通信ＬＳＩ［４］、第１の主制御部［３］は、第１の伝送路［８］を介して受信した第３のフレームから第３の情報チャネルの各情報チャネルを生成する。第２の通信ＬＳＩ［５］、第１の主制御部［３］、は、第２の伝送路［９］を介して受信した第４のフレームから第４の情報チャネルの各情報チャネルを生成する。これら第１の通信ＬＳＩ［４］、第２の通信ＬＳＩ［５］、第１の主制御部［３］、第１の音声データ処理部［２］において、内線電話端末［６］から送信された信号を受信する電話交換機［１］の受信機能は、次のような構成を有する。
【００３４】
第１の通信ＬＳＩ［４］は、内線電話端末［６］の第３の通信ＬＳＩ［１２］から出力され、第１の伝送路［８］を介して伝送された第３のフレームを受信する。第１の通信ＬＳＩ［４］は、受信した第３のフレームから、フレーム同期に関するフレームの制御データにおけるＦ／Ｐビットに基づいて、第６の制御チャネル（Ｄチャネル）と第３の情報チャネル（２Ｂチャネル）を抽出する。これらの処理は、主に第１の通信ＬＳＩ［４］の第３の受信部［２１］にて行われる。
【００３５】
第２の通信ＬＳＩ［５］は、内線電話端末［６］の第３の通信ＬＳＩ［１２］から同じタイミングにて出力され、内線電話端末［６］の第４の通信ＬＳＩ［１３］から出力され第２の伝送路［９］を介して伝送された第４のフレームを受信する。第２の通信ＬＳＩ［５］は、受信した第４のフレームから、フレーム同期に関するフレームの制御データにおけるＦ／Ｐビットに基づいて、第４の情報チャネル（２Ｂチャネル）を抽出する。第４の情報チャネル（２Ｂチャネル）は、第１の通信ＬＳＩ［４］により抽出された第３の情報チャネル（２Ｂチャネル）と同じタイミングにて抽出される。これらの処理は、主に第４の通信ＬＳＩ［１３］の第２の受信部［１８］にて行われる。
【００３６】
第１の主制御部［３］は、第１の通信ＬＳＩ［４］から抽出された第６の制御チャネル（Ｄチャネル）から、第３の情報チャネル（２Ｂチャネル）に関わる第４の制御チャネルと、第４の情報チャネル（２Ｂチャネル）に関わる第５の制御チャネルに分ける。この分け方の一例は、上記で説明された挿入した第５の制御チャネルが第４の情報チャネル（２Ｂチャネル）に関するものであることを示すフラグを利用して、第３の情報チャネル（２Ｂチャネル）に関わる第４の制御チャネルと、第４の情報チャネル（２Ｂチャネル）に関わる第５の制御チャネルに分ける。または、上記で説明された挿入した第５の制御チャネルが第４の制御チャネルの所定の空きのところに存在することを利用して、第４の制御チャネルと第５の制御チャネルに分ける。
【００３７】
第１の主制御部［３］は、所定のタイミングにて、第１の通信ＬＳＩ［４］から抽出された第１の情報チャネル（２Ｂチャネル）を第１の音声データ処理部［２］に出力する。第１の主制御部［３］は、第１の通信ＬＳＩ［４］が第３の情報チャネル（２Ｂチャネル）を第１の音声データ処理部［２］に出力するタイミングにて、第２の通信ＬＳＩ［５］から抽出された第４の情報チャネル（２Ｂチャネル）を第１の音声データ処理部［２］に出力する。
【００３８】
第１の音声データ処理部［２］は、第１の通信ＬＳＩ［４］から入力される第３の情報チャネル（２Ｂチャネル）の各情報チャネルと、第２の通信ＬＳＩ［５］から入力される第４の情報チャネル（２Ｂチャネル）の各情報チャネルから第３の音声データフレームを生成し、生成した第３の音声データフレームを交換網［６］に出力する。
【００３９】
上記のように、電話交換機の受信装置は、第１の伝送路［８］を介して受信した第１のフレームの第１の情報チャネル（２Ｂチャネル）により、内線電話端末から送信された信号を受信し、交換網［７］に接続される第１の通話者、第２の通話者へ送信する。電話交換機の受信装置は、第２の伝送路［９］を介して受信した第２のフレームの第１の情報チャネル（２Ｂチャネル）により、内線電話端末から送信された信号を受信し、交換網［７］に接続される第３の通話者、第４の通話者へ送信する。
【００４０】
（Ｂ）実施形態の動作
図２において、このシステムの電話交換機［１］（図１）の第１の音声データ処理部［２］（図１）、第１の主制御部［３］（図１）、第１の通信ＬＳＩ［４］（図１）、第２の通信ＬＳＩ［５］（図１）において、電話交換機［１］（図１）から内線電話端末［６］（図１）への送信に関する動作は、次の通りである。
【００４１】
（Ｂ−１）実施形態の動作１：電話交換機の送信装置の動作
［処理ステップＳ１］
第１の音声データ処理部［２］（図１）は、交換網［７］（図１）から入力される信号から、第１の伝送路［８］（図１）および第２の伝送路［９］（図１）にて同じタイミングで送信される第１の音声データフレーム［２３］を生成する。第１の音声データフレーム［２３］における１つ目の音声データフレーム［２４］は、情報チャネルＢ０（０）［２５］，Ｂ１（０）［２６］，Ｂ２（０）［２７］，Ｂ３（０）［２８］・・・からなり、２つ目の音声データフレーム［２９］は、情報チャネルＢ０（１）［３０］，Ｂ１（１）［３１］，Ｂ２（１）［３２］，Ｂ３（１）［３３］・・・からなる。
【００４２】
ここで、１つ目の音声データフレーム［２４］における情報チャネルＢ０（０）［２５］，Ｂ１（０）［２６］，Ｂ２（０）［２７］，Ｂ３（０）［２８］・・・の「（０）」は、第１の音声データフレーム［２３］のタイミングにおいて、１番目のタイミングのフレームを意味する。同様に、２つ目の音声データフレーム［２９］における情報チャネルＢ０（１）［３０］，Ｂ１（１）［３１］，Ｂ２（１）［３２］，Ｂ３（１）［３３］・・・の「（１）」は、第１の音声データフレーム［２３］のタイミングにおいて、２番目のタイミングのフレームを意味する。
【００４３】
また、第１の音声データフレーム［２３］における情報チャネルＢ０（０）［２５］、Ｂ０（１）［３０］は、第１の通話者から送信された情報チャネルであり、交換網［７］（図１）を介して伝送された情報チャネルである。第１の音声データフレーム［２３］における情報チャネルＢ１（０）［２６］、Ｂ１（１）［３１］は、第２の通話者から送信された情報チャネルであり、交換網［７］（図１）を介して伝送された情報チャネルである。第１の音声データフレーム［２３］における情報チャネルＢ２（０）［２７］、Ｂ２（１）［３２］は、第３の通話者から送信された情報チャネルであり、交換網［７］（図１）を介して伝送された情報チャネルである。第１の音声データフレーム［２３］における情報チャネルＢ３（０）［２８］、Ｂ３（１）［３３］は、第４の通話者から送信された情報チャネルであり、交換網［７］（図１）を介して伝送された情報チャネルである。
【００４４】
次に、１つ目の音声データフレーム［２４］（情報チャネルＢ０（０）［２５］，Ｂ１（０）［２６］，Ｂ２（０）［２７］，Ｂ３（０）［２８］・・・）の処理に関し、第１の主制御部［３］（図１）以降の処理について以下に説明する。尚、第１の主制御部［３］（図１）以降の処理において、１つ目の第１の音声データフレーム（情報チャネルＢ０（０）［２５］，Ｂ１（０）［２６］，Ｂ２（０）［２７］，Ｂ３（０）［２８］・・・）は、音声データフレーム（Ｂ０（ｎ），Ｂ１（ｎ），Ｂ２（ｎ），Ｂ３（ｎ）・・・）と記述する。なぜなら、１つ目の音声データフレーム［２４］（情報チャネルＢ０（０）［２５］，Ｂ１（０）［２６］，Ｂ２（０）［２７］，Ｂ３（０）［２８］・・・）に関する処理も、２つ目の音声データフレーム［２９］（Ｂ０（１）［３０］，Ｂ１（１）［３１］，Ｂ２（１）［３２］，Ｂ３（１）［３３］・・・）に関する処理も同じ処理なので、タイミングを意味する「（０）」、「（１）」の記述を「（ｎ）」とする。
【００４５】
［処理ステップＳ２］
第１の主制御部［３］（図１）は、第１の音声データ処理部［２］（図１）から音声データフレームＢ０（ｎ）と音声データフレームＢ１（ｎ）を抽出し、第１の伝搬路（８）を介して送信される第１の情報チャネル（以下、２Ｂチャネル（Ｂ０（ｎ），Ｂ１（ｎ））とする）を生成する。第１の主制御部［３］（図１）は、生成された２Ｂチャネル（Ｂ０（ｎ），Ｂ１（ｎ））に関する第１の制御チャネルを生成する。第１の主制御部［３］（図１）は、第１の音声データ処理部［２］（図１）からＢ２（ｎ）と音声データフレームＢ３（ｎ）を抽出し、第２の伝搬路（９）を介して送信される第２の情報チャネル（以下、２Ｂチャネル（Ｂ２（ｎ），Ｂ３（ｎ））とする）を生成する。第１の主制御部［３］（図１）は、生成された２Ｂチャネル（Ｂ２（ｎ），Ｂ３（ｎ））に関する第２の制御チャネルを生成する。
【００４６】
このとき、音声データフレームＢ３（ｎ）が対象となる内線電話端末へ送信するフレームではないとき、音声データフレームＢ３（ｎ）には、空の情報が挿入されるか、空の情報であることを示すフラグが挿入されてもよい。また、第１の主制御部［３］（図１）は、この第２の制御チャネルを、この第２の制御チャネルと同じタイミングで生成された第１の制御チャネルに挿入し、第３の制御チャネル（以下、Ｄチャネル（Ｄ（ｎ）））を生成する。
【００４７】
［処理ステップＳ３］
第１の通信ＬＳＩ［４］（図１）は、第１の伝送路［８］（図１）を介して送信するＦ／Ｐビット（Ｆ／Ｐ（ｎ））［３０］、ハウス・キーピング・ビット（Ｋ（ｎ））［３１］からなるフレームの制御データと、Ｄチャネル（Ｄ（ｎ））［３２］、２Ｂチャネル（Ｂ０（ｎ）［３３］，Ｂ１（ｎ）［３４］）と、直流キャンセルビット［３５］からなるフレームの制御データから第１のフレーム［３６］を生成し、このフレームを内線電話端末［６］（図１）に送信する。
【００４８】
［処理ステップＳ４］
第２の通信ＬＳＩ［５］（図１）は、第２の伝送路［９］（図１）を介して送信するＦ／Ｐビット（Ｆ／Ｐ（ｎ））［３７］、ハウス・キーピング・ビット（Ｋ（ｎ））［３８］からなるフレームの制御データと、空のデータ（空のデータを示すフラグを挿入することも含む）、またはその他のデータとその他のデータを示すフラグを挿入したものからなるチャネル［３９］、２Ｂチャネル（Ｂ２（ｎ）［４０］，Ｂ３（ｎ）［４１］）と、直流キャンセルビット［４２］からなるフレームの制御データから第２のフレーム［４３］を生成し、この第２のフレームを内線電話端末［６］（図１）に送信する。
【００４９】
ここで、伝送路１［８］（図１）および伝送路２［９］（図１）に送信される信号の信号フォーマットの一例を図３に示す。この信号フォーマットは、このＣＣＩＴＴ勧告Ｉ．４３０のフレームフォーマットに適合するように規定されており、図３は、２ＢチャネルとＤチャネル（２Ｂ＋Ｄ）のインタフェース構造を有する（例えばＩＳＤＮの基本レート）端末を収容するための交換機−内線電話機間のレイヤ１フレーム（レイヤ１インタフェース）の基本フォーマット構成を示すものである。レイヤ１フレームの構成は、ユーザ情報（音声／データ）が挿入される２個のＢチャネル（６４Ｋｂｐｓ）、制御情報が挿入されるＤチャネル（１６Ｋｂｐｓ）に加えて、ハウスキーピング情報が挿入されるＫチャネル（８Ｋｂｐｓ）によって構成され、これらチャネルでなる情報ビットにフレーム同期及びピンポン監視ビットＦ／Ｐと直流平衡ビットＤＣとが付加されている。ここで、［４４］は信号波形、［４５］は信号フォーマット、［４６］は信号フォーマットの拡大図、［４７］は各チャネル／各ビットの通信速度、［４８］は各信号タイミングに対する許容時間を示す。
【００５０】
（Ｂ−２）実施形態の動作２：内線電話端末の受信装置の動作
次に、再び図２を用いて、このシステムの内線電話端末［６］（図１）の第３の通信ＬＳＩ［１２］（図１）、第４の通信ＬＳＩ［１３］（図１）、第２の主制御部［１４］（図１）、第２の音声データ処理部［１５］（図１）において、電話交換機［１］（図１）から送信された信号の受信に関する動作は、次の通りである。
【００５１】
［処理ステップＳ５］
第３の通信ＬＳＩ［１２］（図１）は、第１の伝送路［８］（図１）を介して伝送された第１のフレーム［４４］を受信し、受信した第１のフレーム［４４］の制御データにおけるＦ／Ｐビット（Ｆ／Ｐ（ｎ））［４５］に基づいて、Ｄチャネル（Ｄ０（ｎ））［４６］、２Ｂチャネル（Ｂ０（ｎ）［４７］，Ｂ１（ｎ）［４８］）を抽出する。
【００５２】
［処理ステップＳ６］
第４の通信ＬＳＩ［１３］（図１）は、第２の伝送路［９］（図１）を介して伝送された第２のフレーム［４９］を受信し、受信した第２のフレーム［４９］の制御データにおけるＦ／Ｐビット（Ｆ／Ｐ（ｎ））［５０］に基づいて、２Ｂチャネル（Ｂ２（ｎ）［５１］，Ｂ３（ｎ）［５２］）を抽出する。
【００５３】
［処理ステップＳ７］
第２の主制御部［１４］（図１）は、Ｄチャネル（Ｄ０（ｎ））［４６］から、２Ｂチャネル（Ｂ０（ｎ）［４７］，Ｂ１（ｎ）［４８］）に関わる第１の制御チャネルと、２Ｂチャネル（Ｂ２（ｎ）［５１］，Ｂ３（ｎ）［５２］）に関わる第２の制御チャネルに分ける。主制御部は、所定のタイミングにて、２Ｂチャネル（Ｂ０（ｎ）［４７］，Ｂ１（ｎ）［４８］）を第２の音声データ処理部［１５］に出力する。第２の主制御部［１４］（図１）は、第３の通信ＬＳＩ［１２］（図１）が２Ｂチャネル（Ｂ０（ｎ）［４７］，Ｂ１（ｎ）［４８］）を第２の音声データ処理部［１５］（図１）に出力するタイミングにて、第４の通信ＬＳＩ［１３］（図１）から抽出された２Ｂチャネル（Ｂ２（ｎ）［５１］，Ｂ３（ｎ）［５２］）を第２の音声データ処理部［１５］に出力する。または、第２の主制御部［１４］（図１）は、第３の通信ＬＳＩ［１２］（図１）が２Ｂチャネル（Ｂ０（ｎ）［４７］，Ｂ１（ｎ）［４８］）を第２の音声データ処理部［１５］（図１）に出力するタイミングに続いて、第４の通信ＬＳＩ［１３］（図１）から抽出された２Ｂチャネル（Ｂ２（ｎ）［５１］，Ｂ３（ｎ）［５２］）を第２の音声データ処理部［１５］に出力する。
【００５４】
［処理ステップＳ８］
第２の音声データ処理部［１５］（図１）は、第３の通信ＬＳＩ［１２］（図１）から入力される２Ｂチャネル（Ｂ０（ｎ）［４７］，Ｂ１（ｎ）［４８］）と、第４の通信ＬＳＩ［１３］（図１）から入力される２Ｂチャネル（Ｂ２（ｎ）［５１］，Ｂ３（ｎ）［５２］）を第１の音声信号に変換して音声送受話器［１６］（図１）に出力する。このとき、第２の音声データ処理部［１５］（図１）は、２Ｂチャネル（Ｂ０（ｎ）［４７］，Ｂ１（ｎ）［４８］）を第２の音声信号（Ｂ０（ｎ））［５３］と第３の音声信号（Ｂ１（ｎ））［５４］に変換し、２Ｂチャネル（Ｂ２（ｎ）［５１］，Ｂ３（ｎ）［５２］）を第４の音声信号（Ｂ２（ｎ））［５５］と第５の音声信号（Ｂ３（ｎ））［５６］に変換する。さらに、上記の第２の音声信号（Ｂ０（ｎ））［５３］〜第５の音声信号（Ｂ３（ｎ））［５６］を合成して第１の音声信号とする代わりに、３者通話機能に用いられるミキシング機能を用いて第２の音声信号（Ｂ０（ｎ））［５３］〜第５の音声信号（Ｂ３（ｎ））［５６］をミキシングして第１の音声信号としてもよい。また、第２の音声信号（Ｂ０（ｎ））［５３］〜第５の音声信号（Ｂ３（ｎ））［５６］のいずれかの音声信号を選択して第１の音声信号としてもよい。第２の音声信号（Ｂ０（ｎ））［５３］〜第５の音声信号（Ｂ３（ｎ））［５６］のいずれかの音声信号を選択し、選択した音声信号をミキシングして第１の音声信号としてもよい。
【００５５】
ここで、タイミングが「ｎ＝０」のとき、第２の音声データ処理部［１５］（図１）は、第２の音声信号（Ｂ０（ｎ））［５３］の音声信号Ｂ０（０）［５７］、第３の音声信号（Ｂ１（ｎ））［５４］の音声信号Ｂ１（０）［５８］、第４の音声信号（Ｂ２（ｎ））［５５］の音声信号Ｂ２（０）［５９］、第５の音声信号（Ｂ３（ｎ））［５６］の音声信号Ｂ３（０）［６０］を合成（または、ミキシング／選択／選択してミキシング）した第１の音声信号を音声送受話器［１６］に出力してもよい。また、タイミングが「ｎ＝１」のとき、第２の音声データ処理部［１５］（図１）は、第２の音声信号（Ｂ０（ｎ））［５３］の音声信号Ｂ０（１）［６１］、第３の音声信号（Ｂ１（ｎ））［５４］の音声信号Ｂ１（０）［６２］、第４の音声信号（Ｂ２（ｎ））［５５］の音声信号Ｂ２（０）［６３］、第５の音声信号（Ｂ３（ｎ））［５６］の音声信号Ｂ３（０）［６４］を合成（または、ミキシング／選択／選択してミキシング）した第１の音声信号を音声送受話器［１６］に出力してもよい。
【００５６】
受信した２Ｂチャネル：Ｂ０（ｎ）［４７］、第２の音声信号［５３］は、第１の通話者から送信された情報チャネルに対応する。２Ｂチャネル：Ｂ１（ｎ）［４８］、第３の音声信号［５４］は、第２の通話者から送信された情報チャネルに対応する。２Ｂチャネル：Ｂ２（ｎ）［４９］、第４の音声信号［５５］は、第３の通話者から送信された情報チャネルに対応する。２Ｂチャネル：Ｂ３（ｎ）［５０］、第５の音声信号［５６］は、第４の通話者から送信された情報チャネルに対応する。
【００５７】
（Ｂ−３）実施形態の動作３：内線電話端末の送信装置の動作
次に、このシステムの内線電話端末［６］（図１）の第２の音声データ処理部［１５］（図１）、第２の主制御部［１４］（図１）、第３の通信ＬＳＩ［１２］（図１）、第２の通信ＬＳＩ［１３］（図１）において、内線電話端末［６］（図１）から電話交換機［１］（図１）への送信に関する動作は、次の通りである。
【００５８】
［処理ステップＳ９］
第２の音声データ処理部［１５］（図１）は、音声送受話器［１６］（図１）から入力される第６の音声信号［６５］を第２の音声データフレーム（図示せず）に変換する。ここで、第６の音声信号（Ｂ（ｎ））［６５］は、第１の通話者、第２の通話者、第３の通話者、第４の通話者に対して送信される音声信号（共通の音声信号）である。さらに、第６の音声信号［６５］を第２の音声データフレームに変換する前に、上記の［処理ステップＳ８］でミキシングされた第２の音声信号［５３］〜第５の音声信号［５６］を第６の音声信号［６５］にミキシングして第２の音声データフレームに変換してもよい。また、上記の［処理ステップＳ８］で選択された第２の音声信号［５３］〜第５の音声信号［５６］のいずれかの音声信号を第６の音声信号［６５］にミキシングして第２の音声データフレームに変換してもよい。上記の［処理ステップＳ８］で選択された第２の音声信号［５３］〜第５の音声信号［５６］のいずれかの音声信号を選択しミキシングした音声信号を第６の音声信号［６５］にミキシングして第２の音声データフレームに変換してもよい。但し、これらのミキシング／選択／選択してミキシングされる音声信号は、ハウリング防ぐため、送信先に関わる音声信号を取り除く処理を施す。これらの変換は、後に説明する第３の情報チャネル（２Ｂチャネル）の各情報チャネル、第４の情報チャネル（２Ｂチャネル）の各情報チャネル毎にミキシングをしてもよい。各情報チャネル毎にミキシングした場合、第２の音声データ処理部［１５］（図１）は、各情報チャネル毎に第２の音声データフレームをそれぞれ生成する。
【００５９】
ここで、第２の音声データフレームにおける１つ目の音声データフレームに変換される第６の音声信号［６５］は、第６の音声信号：Ｂ（０）［６６］である。第６の音声信号：Ｂ（０）［６６］は、第２の音声信号［５３］〜第５の音声信号［５６］とミキシング（または、選択、選択してミキシング）される際、第２の音声信号：Ｂ０（０）［５７］〜第５の音声信号：Ｂ３（０）［６０］がミキシング（または、選択、選択してミキシング）される。また、第２の音声データフレームにおける２つ目の音声データフレームに変換される第６の音声信号［６５］は、第６の音声信号：Ｂ（０）［６７］である。第６の音声信号：Ｂ（０）［６７］は、第２の音声信号［５３］〜第５の音声信号［５６］とミキシング（または、選択、選択してミキシング）される際、第２の音声信号：Ｂ０（０））［６１］〜第５の音声信号（Ｂ３（０））［６４］がミキシング（または、選択、選択してミキシング）される。
【００６０】
次に、音声データフレームに変換される１つ目の第６の音声信号：Ｂ（０）［６６］の処理に関し、第２の主制御部［１４］（図１）以降の処理について以下に説明する。尚、第２の主制御部［１４］（図１）以降の処理において、音声データフレームに変換された１つ目の第６の音声信号（Ｂ（０））は、音声データフレーム（Ｂ（ｎ））と記述する。なぜなら、音声データフレームに変換された１つ目の第６の音声信号：Ｂ（０）［６６］に関する処理も、音声データフレームに変換された２つ目の第６の音声信号：Ｂ（１）［６７］に関する処理も同じ処理なので、タイミングを意味する「（０）」、「（１）」の記述を「（ｎ）」とする。
【００６１】
［処理ステップＳ１０］
第２の主制御部［１４］（図１）は、第２の音声データ処理部［１５］（図１）から第２の音声データフレーム（Ｂ（ｎ））を抽出し、第１の伝送路［８］（図１）を介して送信される第３の情報チャネル（以下、２Ｂチャネル（Ｂ０（ｎ），Ｂ１（ｎ）））の各情報チャネルを生成する。第２の主制御部［１４］（図１）は、生成された２Ｂチャネル（Ｂ０（ｎ），Ｂ１（ｎ））に関する第４の制御チャネルを生成する。第２の主制御部［１４］（図１）は、第２の音声データ処理部［１５］（図１）から先に抽出された第２の音声データフレーム（Ｂ（ｎ））から、第２の伝送路を介して送信される第４の情報チャネル（以下、２Ｂチャネル（Ｂ２（ｎ），Ｂ３（ｎ）））の各情報チャネルを生成する。第２の主制御部［１４］（図１）は、生成された２Ｂチャネル（Ｂ２（ｎ），Ｂ３（ｎ））に関する第５の制御チャネルを生成する。また、第２の主制御部［１４］（図１）は、第５の制御チャネルを、この第５の制御チャネルと同じタイミングで生成された第４の制御チャネルに挿入し、第６の制御チャネル（以下、Ｄチャネル（Ｄ０（ｎ）））を生成する。
【００６２】
［処理ステップＳ１１］
第３の通信ＬＳＩ［１２］（図１）は、第１の伝送路［８］（図１）を介して送信されるＦ／Ｐビット（Ｆ／Ｐ（ｎ））［６８］、ハウス・キーピング・ビット（Ｋ（ｎ））［６９］からなるフレームの制御データと、Ｄチャネル（Ｄ０（ｎ））［７０］、２Ｂチャネル（Ｂ１（ｎ）［７１］，Ｂ２（ｎ）［７２］）と、直流キャンセルビット［７３］からなるフレームの制御データから第３のフレーム［７４］を生成し、この第３のフレーム［７４］を電話交換機［１］（図１）に送信する。
【００６３】
［処理ステップＳ１２］
第４の通信ＬＳＩ［１３］（図１）は、第２の伝送路［９］（図１）に送信されるＦ／Ｐビット（Ｆ／Ｐ（ｎ））［７５］、ハウス・キーピング・ビット（Ｋ（ｎ））［７６］からなるフレームの制御データと、空のデータ（空のデータを示すフラグを挿入することも含む）、またはその他のデータとその他のデータを示すフラグを挿入したものからなるチャネル［７７］、２Ｂチャネル（Ｂ２（ｎ）［７８］，Ｂ３（ｎ）［７９］）と、直流キャンセルビット［８０］からなるフレームの制御データから第４のフレーム［８１］を生成し、この第４のフレーム［８１］を電話交換機［１］（図１）に送信する。
【００６４】
ここで、第１の伝送路［９］（図１）および第２の伝送路［９］（図１）に送信される信号の信号フォーマットの一例は、先に示した図３と同じであり、この信号フォーマットは、このＣＣＩＴＴ勧告Ｉ．４３０のフレームフォーマットに適合するように規定されている。
【００６５】
（Ｂ−４）実施形態の動作４：電話交換機の受信装置の動作
次に、このシステムの電話交換機［１］（図１）の第１の通信ＬＳＩ［４］（図１）、第２の通信ＬＳＩ［５］（図１）、第１の主制御部［３］（図１）、第１の音声データ処理部［２］（図１）において、内線電話端末［６］（図１）から送信された信号の受信に関する動作は、次の通りである。
【００６６】
［処理ステップＳ１３］
第１の通信ＬＳＩ［４］（図１）は、第１の伝送路［８］（図１）を介して伝送された第３のフレーム［８２］を受信し、受信した第３のフレーム［８２］の制御データにおけるＦ／Ｐビット（Ｆ／Ｐ（ｎ））［８３］に基づいて、Ｄチャネル（Ｄ０（ｎ））［８４］、２Ｂチャネル（Ｂ０（ｎ）［８５］，Ｂ１（ｎ）［８６］）を抽出する。
【００６７】
［処理ステップＳ１４］
第２の通信ＬＳＩ［５］（図１）は、第２の伝送路［９］（図１）を介して伝送された第２のフレーム［８７］を受信し、受信した第２のフレーム［８７］の制御データにおけるＦ／Ｐビット（Ｆ／Ｐ（ｎ））［８８］に基づいて、２Ｂチャネル（Ｂ２（ｎ）［８９］，Ｂ３（ｎ）［９０］）を抽出する。
【００６８】
［処理ステップＳ１５］
第１の主制御部［３］（図１）は、Ｄチャネル（Ｄ０（ｎ））［８４］から、２Ｂチャネル（Ｂ０（ｎ）［８５］，Ｂ１（ｎ）［８６］）に関わる第１の制御チャネルと、２Ｂチャネル（Ｂ２（ｎ）［８９］，Ｂ３（ｎ）［９０］）に関わる第２の制御チャネルに分ける。第１の主制御部［３］（図１）は、所定のタイミングにて、２Ｂチャネル（Ｂ０（ｎ）［８５］，Ｂ１（ｎ）［８６］）を第１の音声データ処理部［２］（図１）に出力する。第１の主制御部［３］（図１）は、第１の通信ＬＳＩ［４］（図１）が２Ｂチャネル（Ｂ０（ｎ）［８５］，Ｂ１（ｎ）［８６］）を第１の音声データ処理部［２］（図１）に出力するタイミングにて、第２の通信ＬＳＩ［５］（図１）から抽出された２Ｂチャネル（Ｂ２（ｎ）［８９］，Ｂ３（ｎ）［９０］）を第１の音声データ処理部［２］（図１）に出力する。または、第１の主制御部［３］（図１）は、第１の通信ＬＳＩ［４］（図１）が２Ｂチャネル（Ｂ０（ｎ）［８５］，Ｂ１（ｎ）［８６］）を第１の音声データ処理部［２］（図１）に出力するタイミングに続いて、第２の通信ＬＳＩ［５］（図１）から抽出された２Ｂチャネル（Ｂ２（ｎ）［８９］，Ｂ３（ｎ）［９０］）を第１の音声データ処理部［２］（図１）に出力する。
【００６９】
［処理ステップＳ１６］
第１の音声データ処理部［２］（図１）は、第１の通信ＬＳＩ［４］（図１）から入力される２Ｂチャネル（Ｂ０（ｎ）［８５］，Ｂ１（ｎ）［８６］）の各情報チャネルと、第２の通信ＬＳＩ［５］（図１）から入力される２Ｂチャネル（Ｂ２（ｎ）［８９］，Ｂ３（ｎ）［９０］）の各情報チャネルから第３の音声データフレーム［９１］を生成し、生成した第３の音声データフレーム［９１］を交換網［６］（図１）に出力する。
【００７０】
第３の音声データフレーム［９１］は、１つ目の音声データフレーム［９２］は、Ｂ０（０）［９３］，Ｂ１（０）［９４］，Ｂ２（０）［９５］，Ｂ３（０）［９６］・・・からなり、２つ目の音声データフレーム［９７］は、Ｂ０（１）［９８］，Ｂ１（１）［９９］，Ｂ２（１）［１００］，Ｂ３（１）［１０１］・・・からなる。第３の音声データフレームの各チャネル情報：Ｂ０（０）［９２］、Ｂ０（１）［９７］は、内線電話端末から第１の通話者へ送信される情報チャネルに対応する。第３の音声データフレームの各チャネル情報：Ｂ１（０）［９３］、Ｂ１（１）［９８］は、内線電話端末から第２の通話者へ送信される情報チャネルに対応する。第３の音声データフレームの各チャネル情報：Ｂ２（０）［９４］、Ｂ２（１）［９９］は、内線電話端末から第３の通話者へ送信される情報チャネルに対応する。第３の音声データフレームの各チャネル情報：Ｂ３（０）［９５］、Ｂ３（１）［１００］は、内線電話端末から第４の通話者へ送信される情報チャネルに対応する。
【００７１】
（Ｃ）変形例
本実施形態の変形例として、内線電話端末［６］（図１）の第２の音声データ処理部［１５］（図１）において、第２の音声信号〜第５の音声信号のいずれかの音声信号を３者通話機能に用いられるミキシング機能を実行させる際、内線電話端末［６］（図１）にミキシング機能をＯＮとするスイッチ（ボタンスイッチなど）を設けることにより、内線電話端末［６］（図１）は、指令台、指揮台として利用することが出来る。同様に、内線電話端末［６］（図１）の第２の音声データ処理部［１５］（図１）において、第２の音声信号〜第５の音声信号のいずれかの音声信号を選択機能を実行させる際、内線電話端末［６］（図１）に選択機能をＯＮとするスイッチ（ボタンスイッチなど）を設けることにより、内線電話端末［６］（図１）は、指令台、指揮台として利用することが出来る。内線電話端末［６］（図１）の第２の音声データ処理部［１５］（図１）において、第２の音声信号〜第５の音声信号のいずれかの音声信号を選択し３者通話機能に用いられるミキシング機能を実行させる際、内線電話端末［６］（図１）に選択／ミキシング機能をＯＮとするスイッチ（ボタンスイッチなど）を設けることにより、内線電話端末［６］（図１）は、指令台、指揮台として利用することが出来る。
【００７２】
（Ｄ）実施形態の効果
本実施形態の効果として、本発明の送信装置／受信装置（送信方法／受信方法）によれば、複数の情報チャネル（例えば、ＩＳＤＮにおける２Ｂチャネル）を同一の送信装置／受信装置に収容する際、複数の情報チャネルを制御するフレームの制御データを１つの第１の制御チャネル（例えば、ＩＳＤＮにおけるＤチャネル）に格納して伝送することが可能となる。電話交換機と内線電話端末間において、伝送される信号は、１つの第１の制御チャネル（例えば、ＩＳＤＮにおけるＤチャネル）にて制御されるので、電話交換機の上位ソフトウェアによる内線電話端末の監視の簡略化を実現することができる。
【００７３】
さらに、本実施形態の送信装置／受信装置（送信方法／受信方法）によれば、複数の情報チャネル（例えば、ＩＳＤＮにおける２Ｂチャネル）を同一の送信装置／受信装置に収容する際、複数の情報チャネルを制御するフレームの制御データを１つの第１の制御チャネル（例えば、ＩＳＤＮにおけるＤチャネル）に格納して伝送することが出来るので、複数の情報チャネルを内線電話端末に引き込むことが可能となる。内線電話端末は、第１の通話者、第２の通話者、第３の通話者、第４の通話者を選択して送受信することが出来るので、複数の通話者に対して的確に指示を伝達するともに、特定の通話者に対して的確に指示を伝達することを可能とする。さらに、内線電話端末は、複数の通話者から的確に情報を収集するとともに、特定の通話者から的確に情報を収集することを可能とする。例えば、指令台、指揮台などのような用途にも適用することが可能となる。
【図面の簡単な説明】
【００７４】
【図１】本発明の実施例１における電話交換機および内線電話端末の構成を示す図
【図２】本発明の実施例１における電話交換機から内線電話端末へ送信される信号のフローを示す図
【図３】本発明の実施例１における伝送路に送信される信号フォーマット図
【図４】本発明の実施例１における内線電話端末から電話交換機へ送信される信号のフローを示す図
【符号の説明】
【００７５】
１…電話交換機、２…第１の音声データ処理部、３…第１の主制御部、４…第１の通信ＬＳＩ、５…第２の通信ＬＳＩ、６…内線電話端末、７…交換網、８…第１の伝送路、９…第２の伝送路、１０…第１の送信部、１１…第２の送信部、１２…第３の通信ＬＳＩ、１３…第４の通信ＬＳＩ、１４…第２の主制御部、１５…第２の音声データ処理部、１６…音声送受話器、１７…第１の受信部、１８…第２の受信部、１９…第３の送信部、２０…第４の送信部、２１…第３の受信部、２２…第４の受信部。
【図１】
2006020070.tif 000003
【図２】
2006020070.tif 000004
【図３】
2006020070.tif 000005
【図４】
2006020070.tif 000006